(57)【特許請求の範囲】
【請求項１】
脱毛・美顔その他の美容処理に用いる光学式美容機器のハンドピースのフィルターにおいて、
所定の波長の照射光をカットするフィルター本体と、
前記フィルター本体を支持するフィルター支持体であって、前記フィルター本体が装入されるスリット孔と、当該フィルターを前記ハンドピースに装着したときに前記フィルター本体が前記照射光が漏れる隙間の無い状態で装着されたか否かを確認するための確認片と、前記ハンドピースに連結される連結片と、を備えたフィルター支持体と、
を備えたことを特徴とする光学式美容機器のハンドピースのフィルター。
【請求項２】
脱毛・美顔その他の美容処理に用いる光学式美容機器のハンドピースにおいて、
所定の波長の照射光をカットするフィルター本体と、前記フィルター本体を支持するフィルター支持体であって、前記フィルター本体が装入されるスリット孔と、当該フィルターを前記ハンドピースに装着したときに前記フィルター本体が前記照射光が漏れる隙間の無い状態で装着されたか否かを確認するための確認片と、前記ハンドピースに連結される連結片と、を備えたフィルター支持体と、を備えた着脱可能なフィルターと、
光源の正面に設けられるフィルター装入溝と、
前記フィルター装入溝に連通し、前記フィルター本体を装入するためのフィルター装入口と、
前記フィルターを前記ハンドピースに装着したときに前記確認片又は前記連結片の少なくともいずれかの部分の形状、大きさ又は位置と、少なくともいずれかの部分がそれぞれ略同等の形状、大きさ又は位置を呈する関係で形成される突出片と、を備えたことを特徴とする光学式美容機器のハンドピース。
【請求項３】
前記突出片は、前記連結片に連結されていることを特徴とする請求項２に記載の光学式美容機器のハンドピース。
【請求項４】
請求項１に記載のフィルター又は請求項２若しくは３に記載のハンドピースを備えたことを特徴とする光学式美容機器。
【発明の詳細な説明】
【技術分野】
【０００１】
本発明は、光学式美容機器及びそのハンドピース及びそのフィルターに関し、更に詳しくは、脱毛・美顔その他の美容処理を行う際の安全性を高める技術に関する。
【背景技術】
【０００２】
従来より、脱毛用の美容機器として、電気的手法により体毛をカットするもの、化学的手法により体毛を溶かすもの、光学的手法により体毛の組織を破壊するもの（以下、これを「光学式美容機器」という。）等が周知である。そのうち、光学式美容機器は、光源をパルス発光させ、その光を脱毛部分に照射して瞬間的に体毛の組織を破壊する。その一例が特許文献１に開示されている。換言すれば、光学式美容機器は、体毛を一瞬のうちに灰にするものであり、いわば「黒い物」に反応してそれを灰にするという点で、しみ・ソバカス対策その他の美顔用として有効である。
【０００３】
光学式美容機器は、大きく分けると、光源を所定の間隔でパルス発光させる制御を行う装置本体と、脱毛部分や美顔部分に光を直接照射するハンドピースとからなる。そして、照射中の光の波長を可視光領域を含む長波長側にするため（具体的には、４００ｎｍより長波長側にするため）、所定の波長の照射光をカットする仕組みを備える。
【０００４】
どの波長の光をカットするかは、脱毛か、美顔かといった美容用途によって決まる。石英ガラスの表面に波長を制限する着色成分を蒸着させたフィルターを光源の正面に設けることによって、所定の波長の照射光の透過を制限している。例えば、脱毛用には赤色のフィルターが、美顔用には黄色のフィルターが使用される。
【０００５】
このように美容目的に応じてフィルターを取り替えるため、従来においては、フィルターがハンドピースに着脱不能に装着されている場合には、ハンドピースを複数種類用意し、脱毛用・美顔用等、美容目的に応じて、これらを取り替える必要があった。
【０００６】
しかしながら、ハンドピースを複数種類用意して、取り替えることは、顧客を待たせるという問題があった。また、装置本体にハンドピースを複数取り付け可能な装置は、コストが高く、広い設置スペースが要るという問題があった。
そのため、異なる着色成分のフィルターを複数枚用意して、フィルターのみを交換して使用することが一般的である。
【０００７】
図８〜図９に、その従来のハンドピースｈ及びフィルターｆを示す。図８は、（ａ）がフィルター装着前の外観を示した斜視図であり、図９は、フィルター装着後の外観を示した斜視図である。
【０００８】
フィルターｆは、石英ガラス製のフィルター本体５１と、高分子樹脂製のフィルター支持体５２とからなり、フィルター本体５１とフィルター支持体５２とは接着材によって接着されている。同図に示したように、フィルターｆは、フィルター挿入口５３からフィルター装入溝５４に装入され、また、フィルター支持体５２がフィルター装入口５３に狭持される。これにより、フィルターｆがハンドピースｈに装着される。
【０００９】
フィルター支持体５２は、フィルター装入口５３の対向する二つの壁面からフィルターｆを厚さ方向に押しつぶす方向に力を受けて狭持される。これにより、フィルターｆは、フィルター脱着方向への脱落が防止されている。従って、フィルターｆは、フィルター支持体５２がフィルター脱着方向に引っ張られても通常は抜けることはない。また、フィルターｆの側縁は、フィルター装入溝５４の対向壁５４ａ，５４ｂ（図８（ｂ）参照）により狭持又は把持されることによって係止される。これにより、フィルターｆは、フィルター脱着方向に対して略垂直な方向への脱落が防止されている。
【００１０】
【特許文献１】特開２００１−２８６３２６
【発明の開示】
【発明が解決しようとする課題】
【００１１】
しかしながら、従来のフィルターｆを従来のハンドピースｈに装着して、ハンドピースを脱毛や美顔に使用すると、フィルターｆがフィルター脱着方向に向かって抜け落ちる問題や、フィルターｆがフィルター脱着方向にずれてフィルターｆとハンドピースｈとの間（図９の隙間ｇ参照）から照射光が漏れるという問題が生じた。その原因を調べたところ、フィルター支持体５２がハンドピースｈの使用時の発熱により溶けたり、何度も着脱を繰り返すうちにフィルター支持体５２が摩耗によってすり減ることがわかった。
【００１２】
顧客に対して脱毛・美顔処理を行っている最中にフィルターｆが脱落すると、カットすべき高熱のパルス光が直接顧客の皮膚に照射される。そのパワーは、フィルター装着時の２倍に達し火傷につながるという問題があった。
また、フィルター支持体５２が熱によって溶けると、脱落しないまでも、脱落しそうな状態となることがある。その場合、図９に示したようにフィルター本体の端側と、フィルター装入溝５４との間に隙間ｇができる。作業者がそれに気付かないまま、顧客に対して脱毛・美顔処理を行えば、直接顧客の皮膚に部分的にカットすべき高熱のパルス光を照射することになり、やはり、火傷につながるという問題があった。
【００１３】
更に、従来のフィルターｆは、表側と裏側とがあるが、その見分け方はフィルター支持体５２に小さな穴が開いているか否かによるものであった。その形状による差異は、フィルターｆをひっくり返してもハンドピースｈに装入できる程度の差異であった。従って、作業者がフィルターｆの表裏を間違えて取り付けるという問題があった。
【００１４】
更に、従来のフィルターｆは、フィルター装入溝５４の奥まで挿入されているかが分かりにくいという問題もあった。そのため、フィルターｆがしっかりと装着されないまま（例えば、１ｍｍ程度の隙間ｇが開いたまま）、脱毛・美顔処理が行われる場合があり得るという問題があった。
【００１５】
本発明は上記事情に鑑みてなされたものであり、その第一の目的は、フィルターの脱落を確実に防止することができる光学式美容機器及びそのハンドピース及びそのフィルターを提供することにある。
本発明の第二の目的は、フィルターの装着状態を一見して判断することができる光学式美容機器及びそのハンドピース及びそのフィルターを提供することにある。
【課題を解決するための手段】
【００１６】
上記課題を解決するために、本発明に係る脱毛・美顔その他の美容処理に用いる光学式美容機器のハンドピースのフィルターは、所定の波長の照射光をカットするフィルター本体と、前記フィルター本体を支持するフィルター支持体であって、前記フィルター本体が装入されるスリット孔と、当該フィルターを前記ハンドピースに装着したときに前記フィルター本体が前記照射光が漏れる隙間の無い状態で装着されたか否かを確認するための確認片と、前記ハンドピースに連結される連結片と、を備えたフィルター支持体と、を備えたことを要旨とするものである。
【００１７】
従って、フィルター支持体のスリット孔にフィルター本体が装入されたフィルターは、確認片を目印にして照射光が漏れる隙間の無い状態でハンドピースに装着され、連結片がハンドピースに連結される。
【００１８】
上記課題を解決するために、本発明に係る脱毛・美顔その他の美容処理に用いる光学式美容機器のハンドピースは、所定の波長の照射光をカットするフィルター本体と、前記フィルター本体を支持するフィルター支持体であって、前記フィルター本体が装入されるスリット孔と、当該フィルターを前記ハンドピースに装着したときに前記フィルター本体が前記照射光が漏れる隙間の無い状態で装着されたか否かを確認するための確認片と、前記ハンドピースに連結される連結片と、を備えたフィルター支持体と、を備えた着脱可能なフィルターと、光源の正面に設けられるフィルター装入溝と、前記フィルター装入溝に連通し、前記フィルター本体を装入するためのフィルター装入口と、前記フィルターを前記ハンドピースに装着したときに前記確認片又は前記連結片の少なくともいずれかの部分の形状、大きさ又は位置と、それぞれ略同等の形状、大きさ又は位置を呈する関係で形成される突出片と、を備えたことを要旨とするものである。
この場合に、前記突出片は、前記連結片に連結することができる。
【００１９】
従って、フィルター支持体のスリット孔にフィルター本体が装入されたフィルターは、フィルター装入口からフィルター装入溝に装入される。この際に、確認片又は連結片の少なくともいずれかの部分の形状、大きさ又は位置は、突出片の少なくともいずれかの部分の形状、大きさ又は位置と略同等の関係を呈する。従って、確認片又は連結片を目印にして照射光が漏れる隙間の無い状態でハンドピースに装着され、連結片がハンドピースに連結される。
【００２０】
また、上記課題を解決するために、光学式美容機器に本発明に係るフィルター又はハンドピースを備えるようにしてもよい。
【発明の効果】
【００２１】
本発明に係る光学式美容機器のハンドピースのフィルターによれば、フィルターのフィルター支持体がハンドピースに連結される連結片を備えたので、フィルターの脱落を確実に防止することができるという効果がある。また、フィルター本体が照射光が漏れる隙間の無い状態で装着されたか否かを確認するための確認片を設けたので、装着状態を一見して判断することができるという効果がある。
【００２２】
本発明に係る光学式美容機器のハンドピースによれば、フィルターのフィルター支持体がハンドピースに連結される連結片を備えたので、フィルターの脱落を確実に防止することができるという効果がある。また、フィルター本体が照射光が漏れる隙間の無い状態で装着されたか否かを確認するための確認片を設けるとともに、確認片又は連結片の少なくともいずれかの部分の形状、大きさ又は位置が、突出片の少なくともいずれかの部分の形状、大きさ又は位置と略同等の関係を呈するため、装着状態を一見して判断することができるという効果がある。これらを備えた光学式美容機器もまた同様の効果を奏する。
【００２３】
以上のことから、本発明に係る光学式美容機器及びそのハンドピース及びそのフィルターは、照射光が漏れる隙間に作業者が一見して気付くことができるため、安全性を高めることができる。
【発明を実施するための最良の形態】
【００２４】
以下に、図面を参照して、本発明を実施するための一実施の形態について説明する。
【００２５】
図１は、本発明の一実施形態に係る光学式美容機器Ｍの全体構成を示した概略図である。同図に示したように光学式美容機器Ｍは、フィルターＦが装着され、発光体１５を備えたハンドピースＨと、装置本体Ｄとからなる。そして、ハンドピースＨと装置本体Ｄとは、中空のジャバラ状の連結ホース１８とその中に収容されるシールド電線１９とによって互いに接続されている。
【００２６】
図２は、本発明の一実施形態に係る光学式美容機器ＭのハンドピースＨ及びそのフィルターＦの外観を、（ａ）フィルター装着前と、（ｂ）フィルター装着後に分けて示した斜視図、並びに、（ｃ）フィルター装入溝１１の斜視図を示したものである。
【００２７】
図１及び図２に示したように、ハンドピースＨは、発光体１５と図示しない回路基板等とを一体とした収容部材２１とを備えた筐体１４の正面に吸気用枠体１３を取り付けるとともに、フィルター装入溝１１にフィルターＦを装入して、連結片５，５と突出片８とを固定具９により固定したものである。
【００２８】
装置本体Ｄは、パルス光の発生及びその制御を行うパルス信号発生部３１、ハンドピースＨの冷却を行う空冷ポンプ３２、美容メニューの選択や各種設定を行うためのタッチパネル３３、装置本体Ｄを起動させ脱毛・美顔その他の美容装置として機能させるためのプログラムを格納したＲＯＭ３４、顧客の美容処理の履歴を記憶したり、運転中の演算データを一時的に格納するためのＲＡＭ３５、及び、ＲＯＭ３４からプログラムを読み出して装置各部と制御信号の授受を行って装置各部を制御するＣＰＵ３６等を備える。また、図示を省略するが、装置本体Ｄは、更に、電源ユニット、電圧変換ユニット、冷却ファン等を備える。
【００２９】
かかる構成を備えた光学式美容機器Ｍにおいて、パルス信号発生部３１は、電源から供給される電力を高圧電力に変換して、ＣＰＵ３６からの制御に従って１秒に１回２０ｍｓｅｃの長さのパルス信号を発生し、そのパルス信号は、ハンドピースＨの発光体１５に伝達される。そして、そのパルス信号は、ハンドピースＨのスイッチ１７のオンオフ操作に従って、発光体１５を発光させ、フィルターＦを透過したパルス光が被脱毛部位や被美顔部位に照射される。これにより、所望の美容処理が行われる。
【００３０】
また、この間、空冷ポンプ３２は、ハンドピースＨの正面に設けられる吸気用枠体１３との隙間Ｇその他の筐体１４の隙間から、美容処理で破壊された塵状の組織や高温の空気を吸引し、吸引した塵や空気を連結ホース１８の中空部分を通して、空冷ポンプ３２の図示しない排出口から排出し、又は、図示しない塵貯部に塵を貯める。これによって、被脱毛部位や被美顔部位での塵の残留、照射部位やハンドピースＨの高温化が防止されている。
【００３１】
図２に示したように、フィルターＦは、フィルター本体３と、フィルター支持体４とから構成される。フィルター本体３は、石英ガラス製であり、その形状が２５ｍｍ×５０ｍｍ×１ｍｍ程度の扁平な直方体である。フィルター本体３の片面には、用途に応じた波長の光を透過させるため、着色成分が蒸着されている。
【００３２】
具体的には、脱毛用には赤色の着色成分が蒸着され、６００ｎｍ〜１２００ｎｍの波長の光を透過させるフィルター本体３が用いられる。また、美顔用には黄色の着色成分が蒸着され、５３０ｎｍ〜１２００ｎｍの波長の光を透過させるフィルター本体３が用いられる。そして、ニキビ肌用には青色の着色成分が蒸着され、４００ｎｍ〜５１０ｎｍの波長の光を透過させるフィルター本体３が用いられる。
【００３３】
図３は、フィルター支持体４の（ａ）正面図、（ｂ）背面図、（ｃ）上面図、（ｄ）底面図、（ｅ）左側面図、（ｆ）右側面図である。また、図４は、ハンドピースＨを（ａ）正面図、（ｂ）左側面図、（ｃ）上面図により示したものであり、図５は、ハンドピースＨを（ａ）背面図、（ｂ）右側面図、（ｃ）底面図により示したものである。また、図６は、ハンドピースＨの照射面側に設けられる吸気用枠体１３を（ａ）正面図、（ｂ）背面図、（ｃ）上面図、（ｄ）底面図、（ｅ）左側面図、（ｆ）右側面図により示したものである。  
【００３４】
これらの図、並びに、図１及び図２において、フィルター支持体４は、高分子樹脂製の略直方体に、二つの連結片５，５が形成されている。フィルター支持体４は、略直方体の底面側（図３（ｄ）参照）の長手方向中央部に突出形成される装入壁６の内面側に形成されたスリット孔７がフィルター本体３を収容保持する。また、フィルター支持体４は、連結片５，５のみならず、それ以外の部分も、フィルターＦをハンドピースＨに装着したときにフィルター本体３が照射光が漏れる隙間の無い状態で装着されたか否かを確認するための確認片として機能する。二つの連結片５，５は、ハンドピースＨの筐体１４の上面に突出して形成される突出片８と、固定具９によって連結される。これにより、フィルターＦがハンドピースＨから外れることがない。
【００３５】
上述のスリット孔７は、フィルター本体３の端側を狭持しながら収容できる程度の大きさ、すなわち、厚みがフィルター本体３の厚みと同等か稍々小さめ、長手方向がフィルター本体３の幅と同等か稍々大きめ、深さが２ｍｍ〜８ｍｍ程度の大きさである。これにより、フィルター本体３の端縁を装入して、逆さまにしてもフィルター本体３が脱落しない。実際にフィルター本体３をフィルター支持体４に装着するときには、接着材が併用される。
【００３６】
次に、二つの連結片５，５は、フィルター本体３がフィルター支持体４に装着されたとしたならばフィルター本体３の面方向とは垂直な方向に伸長する態様で、スリット孔７が形成される面に隣接する面上に形成される。また、二つの連結片５，５は、フィルターＦがフィルター装入口１０を介してフィルター装入溝１１に装入され、ハンドピースＨに装着されたとしたならば、突出片８をぴったりと狭持する形状・大きさ・位置関係を呈する態様で形成されている。更に、二つの連結片５，５には、スリット孔７の長手方向に平行な方向に円柱状の孔１２（以下、「円柱状孔１２」という。）が形成されている。
【００３７】
二つの連結片５，５は、フィルターＦがハンドピースＨに装着されると、ハンドピースＨの上面（すなわち、筐体１４の上面）に形成される突出片８に密着しながらその両脇に位置する。また、連結片５，５と突出片８との上端面・側壁面は、略同一平面を形成する。そして、二つの連結片５，５に形成された円柱状孔１２，１２は、ハンドピースＨの突出片８の円柱状孔２０と連繋して円柱状の空間を形成する位置関係を呈する。そして、フィルター本体３は、上記の位置関係を呈する場合にフィルター本体３がフィルター装入溝１１の奥まで隙間無く装入された状態となる大きさとされる。
【００３８】
このように、連結片５，５と突出片８との上端面・側壁面が略同一平面を形成する、又は、連結片５の円柱状孔１２と、突出片８の円柱状孔２０とが連繋して一つの円柱状の空間を形成することで、フィルター本体３が照射光が漏れる隙間の無い状態でハンドピースＨのフィルター装入溝１１に装着されたか否かを確認することができる。
【００３９】
筐体１４は、高分子樹脂材料を金型成形することによって製造される。筐体１４は、二つの成形品を図４のＩ−Ｉ線のところで組み合わせたものである。筐体１４のグリップ１６は、脱毛・美顔その他の美容処理を作業者が行うときに手で握られるところである。そして、筐体１４の表面の操作しやすい位置にスイッチ１７が設けられる。
【００４０】
スイッチ１７は、連結ホース１８に通されるシールド電線１９によって装置本体ＤのＣＰＵ３６と接続される。スイッチ１７の操作をＣＰＵ３６が検出すると、ＣＰＵ３６は発光体１５をパルス発光させるために必要な指令を装置各部に送出する。
【００４１】
フィルター装入口１０は、筐体１４の上面に幅方向にスリット状に形成された孔であり、フィルターＦを着脱するための入り口又は出口となる孔である。フィルター装入口１０は、フィルターＦが装入されるフィルター装入溝１１に連通している。フィルター装入溝１１は、断面コ字状又はＵ字状の正面視が同じくコ字状の形状を有する。
【００４２】
突出片８は、フィルター装入口１０の後ろ側に形成されており、フィルターＦをハンドピースＨに装着すると、連結片５，５の間に位置し、その高さ位置がフィルター支持体４と略同一となる。また、突出片８と、フィルター支持体４のうちフィルター装入口１０より外部に露出する部分との関係は次のようになっている。すなわち、突出片８と連結片５，５とは、形状と縦・横・高さの大きさが略同一である。換言すれば、突出片８は、フィルターＦをハンドピースＨに装着するとフィルター支持体４の間に挟まれて連結片５，５と列立する。また、突出片８と、フィルター支持体４のうち連結片５，５以外の部分とは、高さが略同一である。
【００４３】
突出片８は、フィルター装入口１０のスリット方向と同じ方向に円柱状の孔２０（以下「円柱状孔２０」とする。）が形成される。上述の円柱状孔１２と、円柱状孔２０とは、フィルターＦがハンドピースＨに装着されると一つの円柱状の空間を形成する。上述した連結片５，５は、円柱状孔１２，２０，１２に固定具９を挿入することにより、突出片８に固定される。これにより、フィルターＦがハンドピースＨから外れることが防止される。
【００４４】
固定具９としては、図２に示したプラスチック製のジップロックを用いることができる。本実施形態では、ジップロックで輪を作りそれをつぶしたものを用いている。その一端をとめて環状にしたジップロックを、折り曲げてつぶしたものを円柱状孔１２，２０に装入すれば、輪になっている部分がプラスチックの弾力でその中で開こうとし、フィルター支持体４と突出片８とが固定される。針金状の金属線の周りをビニールなどで覆ったものを挿入して折り曲げて締着することもできる。
【００４５】
発光体１５（図１、図４（ａ）参照）は、Ｕ字状のキセノンランプからなり、パルス信号発生部３１（図１参照）からの制御信号を受けて２０ｍｓｅｃの長さで１秒毎に連続発光させることができる。照射されたパルス光は被脱毛部位や被美顔部位の黒い色に当たったときに熱変換されて、毛の毛根、シミ・ソバカスを一瞬のうちに破壊する。
【００４６】
発光体１５の正面には透明無着色のガラス製の保護板２２（図２参照）が設けられる。フィルターＦが装着されると、保護板２２とフィルター本体３とが稍々隙間をあけて重なる。また、発光体１５の周囲（側面及び背面）にアルミニウム製の金属板が設けられるとともに、保護板２２の正面側の内周面にもアルミニウム製の金属板２３（図２及び図４（ａ）参照）が設けられる。金属板２３は、発光体１５やこれを発光させる回路基板を収容する高分子樹脂製の収容部材２１が、発光体１５による熱により焼けないようにするためである。また、発光体１５そのものの表面に巻き付いている金属線２４は、銅線であり、ランプを光らせるものである。
【００４７】
収容部材２１は、筐体１４の内部に配置されるものであり、発光体１５、フィルター２、図示しない回路基板等を収容するものである。従って、収容部材２１の上面には、フィルター装入口１０の直下にこれに連通する態様で、フィルターＦを装着するためのスリット状の挿入口が形成される。この挿入口を介してフィルター装入口１０とフィルター装入溝１１とが連通する。収容部材２１の照射面側は開口しており、その開口部に発光体１５が収容される。収容部材２１の開口部端縁周囲には、吸気用枠体１３の取付片２６を嵌入するための孔４０，４０…（図２参照）が形成されている。また、この孔４０，４０…は、取付片２６が嵌入されない部分は、吸気用の孔として機能する。
【００４８】
保護板２２と、金属板２３との間には、フィルターＦを装入するための断面コ字状（断面Ｕ字状、断面Ｌ字状でもよい。）のフィルター装入溝１１が形成される。フィルター装入溝１１は、その入り口（又は出口）がフィルター装入口１０に連通し、正面視では保護板２２と略同一の形状を呈する。フィルター装入溝１１は、断面コ字状の対向する壁面１１ａ，１１ｂがフィルターＦの側縁を係止する。これにより、フィルターＦの正面側への脱落が防止される。
【００４９】
吸気用枠体１３は、その取付片２６が、筐体１４に収容される収容部材２１の孔４０に嵌入される。これによって、吸気用枠体１３は、筐体１４の照射面正面側に筐体１４と稍々隙間を開けて取り付けられる。ハンドピースＨと装置本体Ｄとを連結する連結ホース１８の内部にはシールド電線１９が通る以外は空洞になっている（図１（ｂ）参照）。
【００５０】
連結ホース１８は、空冷ポンプ３２の吸気口に連結されている。空冷ポンプ３２は、吸気用枠体１３と筐体１４との間に形成される隙間Ｇ、筐体１４と収容部材２１との間の隙間Ｇ、孔４０から収容部材２１の裏側へ抜ける隙間から連結ホース１８を介して吸気を行い、これによって、パルス光によって高温になった空気と、大気中の塵を吸う。これにより、ハンドピースＨの高熱化が抑えられ、被脱毛部位や被美顔部位の不快な臭いが機械内部のエアフィルターで脱臭される。
【００５１】
次に、光学式美容機器Ｍの動作について説明する。
作業者が用途（脱毛・美顔その他の美容処理）に応じたフィルターＦを取り出す。フィルターＦは、フィルター本体３の端側からフィルター装入口１０を介してフィルター装入溝１１に装入され、これによって、ハンドピースＨに装着される。そして、作業者によりフィルター支持体４の下面が筐体１４の上面に密着していること、及び、突出片８と連結片５，５とが密接して列立し、それらの高さ位置が略同一であることが確認される。この確認は目視と触感によって行うことができる。
【００５２】
そして、固定具９が円柱状孔１２，２０，１２にこの順番で通されて、図１（ｂ）に示したように折り曲げられる。これによって、フィルターＦがハンドピースＨに固定され、ここから外れなくなる。このとき、固定具９はフィルターＦがぐらつかないようにするために挿入して装着され、フィルターＦの脱落防止具として機能する。そのため、フィルターＦはハンドピースＨから作業者が知らないうちに抜け落ちることがない。また、フィルター支持体４が、熱で溶けたり、摩擦ですり減ることもない。更に、フィルターＦの装着状態を突出片８と連結片５，５との上面高さの揃い具合によって簡単に確認することができるので、常にフィルターＦの良好な装着状態を維持することができる。
【００５３】
次に、装置本体Ｄのスイッチがオンされると、タッチパネルに図７（ａ）のスタート画面が表示される。「START」ボタンと、「SERVICE」ボタンを選択して押下することができる。「START」ボタンが押されると、タッチパネルに同図（ｂ）のスキンモード画面が表示される。ここでは、美容処理の種類と、肌質とを選択することができる。「赤色フィルター」が脱毛処理に対応し、「黄色フィルター」が美顔処理に対応し、「青色フィルター」がニキビ処理に対応する。美容処理の種類と肌質が選択された後、「NEXT」ボタンが押されると、ＣＰＵ３６は、押下された情報に応じて装置各部に制御命令を出す。装置各部ではＣＰＵ３６の命令に従った処理や設定が行われる。
【００５４】
次に、タッチパネルに図７（ｃ）の照射モード画面が表示される。ここでは、照射モードを選択することができる。照射モードとは、設定値のパワーで何回に分けて照射するかを示すものであり、「シングルパルス」ボタンが設定値のパワーで１回で照射する照射処理に対応し、「SET1」，「SET2」，「SET3」ボタンがそれぞれ設定値のパワーで３，４，５回に分けて照射される照射処理に対応する。また、「顧客照射回数」の欄はそのときの顧客の照射回数（累計ではない）が表示される。新たな顧客のときは押下によってリセットすることができる。同一顧客の美容処理の途中のときは、リセットしないでそのままにしておけばよい。ここで、いずれかのボタンが押されると、ＣＰＵ３６は、押下された情報に応じて装置各部に制御命令を出す。装置各部ではＣＰＵ３６の命令に従った処理や設定が行われる。
そして、「START」ボタンが押されると、次の画面に切り替わる。
【００５５】
次に、タッチパネルに図７（ｄ）の運転画面が表示される。スイッチ１７を押下するとパルス光の照射ができる状態である。ここでは、「パワーUP」ボタンと、「パワーDOWN」ボタンを押下することによって照射パワーを設定することができる。具体的には、照射レベルを１８〜４０Ｊまで０．５Ｊ毎に変更することができる。このとき、「フィルター種類」の欄、「肌質」の欄、「照射方法」の欄には、図７（ｂ）のスキンモード画面や、図７（ｃ）の照射モード画面で設定した事項が表示される。そのため、これらを確認しながら作業を行うことができる。ＣＰＵ３６は、押下された数値に応じて装置各部に制御命令を出す。装置各部ではＣＰＵ３６の命令に従った処理や設定が行われる。
【００５６】
また、図７（ａ）のスタート画面で、「SERVICE」ボタンが押されると、同図（ｅ）のサービス画面が表示される。「照射総数」の欄には、光学式美容機器Ｍの使用を開始してから現時点までの照射総数が表示され、照射パワーに関係なく、照射した発数の合計が表示される。光学式美容機器ＭのフィルターＦの交換時期は、照射総数約２万発であるが、照射総数を確認することによって、取り替え時期を知ることができる。「赤色照射総数」，「黄色照射総数」，「青色照射総数」の欄には、各色のフィルターＦを用いたときの、光学式美容機器Ｍの使用を開始してから現時点までの照射総数が表示される。また、「明度調整」ボタンは、これを押下することによってタッチパネル３３のコントラストを調整することができる。ＣＰＵ３６は、押下された情報に応じて装置各部に制御命令を出す。装置各部ではＣＰＵ３６の命令に従った処理や設定が行われる。
【００５７】
装置本体Ｄが上記のようにして操作される前に、又は、操作される過程において、フィルターＦは着脱可能にハンドピースＨに装着されるが、突出片８と、連結片５，５との上面位置が略同一高さである。これらの高さを揃わせることを目印に装着することで、フィルターＦは、奥まで隙間無く装入される。また、固定具９により、突出片８に連結片５，５が確実に取り付けられる。従って、作業者が知らないうちにフィルターＦがハンドピースＨから脱落することはない。
【００５８】
以上本発明の一実施形態について説明したが、本発明は上述した実施の形態に何ら限定されるものではない。上述した実施の形態においては、固定具９としてプラスチック製のジップロックそ用いたが、金属線をプラスチック樹脂で被覆したものを円柱状孔１２，２０，１２に挿入し、折り曲げ固定してもよい。あるいは、紐状部材を挿入して締縛してもよい。更に、ネジを円柱状孔１２，２０，１２に螺合させてもよい。ネジを螺合させる場合には、円柱状孔１２，２０，１２の内周面にはネジ山が形成される。また、フィルター支持体４に設ける連結片５，５の形状は、三角柱状、円柱状等でもよい。
【００５９】
また、本実施形態においては、突出片８は、フィルター装入口１０の後ろ側に形成しているが、前側に形成してもよい。この場合、フィルター支持体４の取り付け状態が、図２等に示したものの照射側と後ろ側とを逆にした態様となる。
【産業上の利用可能性】
【００６０】
本発明に係る光学式美容機器及びそのハンドピース及びそのフィルターは、美容機器の製造メーカーにおいて大量生産され、美容サロンにおいて使用することができる。
【図面の簡単な説明】
【００６１】
【図１】本発明の一実施形態に係る光学式美容機器Ｍの全体構成を示した概略図である。
【図２】本発明の一実施形態に係るハンドピースＨ及びそのフィルターＦの外観を、（ａ）フィルター装着前と、（ｂ）フィルター装着後に分けて示した斜視図、並びに、（ｃ）フィルター装入溝１１を示した斜視図である。
【図３】フィルター支持体４の（ａ）正面図、（ｂ）背面図、（ｃ）上面図、（ｄ）底面図、（ｅ）左側面図、（ｆ）右側面図である。
【図４】本発明の一実施形態に係るハンドピースＨの（ａ）正面図、（ｂ）左側面図、（ｃ）上面図である。
【図５】本発明の一実施形態に係るハンドピースＨの（ａ）背面図、（ｂ）右側面図、（ｃ）底面図である。
【図６】吸気用枠体１３の（ａ）正面図、（ｂ）背面図、（ｃ）上面図、（ｄ）底面図、（ｅ）左側面図、（ｆ）右側面図である。
【図７】タッチパネル１３の表示例を示した図である。
【図８】従来のハンドピースｈ及びそのフィルターｆの外観を、（ａ）フィルター装着前の態様により示した斜視図、及び、（ｂ）フィルター装入溝５４を示した斜視図である。
【図９】従来のハンドピースｈ及びそのフィルターｆの外観を、フィルター装着後の態様により示した斜視図である。
【符号の説明】
【００６２】
Ｍ  光学式美容機器
Ｈ  ハンドピース
Ｆ  フィルター
３  フィルター本体
４  フィルター支持体
５  連結片
６  フィルター挿入壁
７  スリット孔
８  突出片
９  固定具
１０  フィルター装入口
１１  フィルター装入溝
【要約】
【目的】フィルターの脱落を確実に防止することができ、且つ、フィルターの装着状態を一見して判断することができる光学式美容機器及びそのハンドピース及びそのフィルターを提供すること。
【解決手段】フィルターＦは、所定の波長の照射光をカットするフィルター本体３と、フィルター本体３を支持するフィルター支持体４とから構成する。フィルター支持体４は、フィルター本体３がハンドピースＨに装着されたか否かを確認するための目印となるとともに、ハンドピースＨに連結される連結片５，５を備える。連結片５，５は、ハンドピースＨの上面に形成される突出片８に固定具９により固定される。
【選択図】図２
【図１】
0003638596.tif 000002
【図２】
0003638596.tif 000003
【図３】
0003638596.tif 000004
【図４】
0003638596.tif 000005
【図５】
0003638596.tif 000006
【図６】
0003638596.tif 000007
【図７】
0003638596.tif 000008
【図８】
0003638596.tif 000009
【図９】
0003638596.tif 000010